(57)【要約】【課題】  複数の固体発光素子を備えて、輝度むらを十分に抑制することができる照明装置、及び照明器具を提供する。【解決手段】  照明装置２は、ＬＥＤ基板５１と、複数のレンズ６１と、を備える。複数のレンズ６１は、集光レンズ６１１と、拡散レンズ６１２とを含む。集光レンズ６１１は、複数のＬＥＤ素子５２のうち、第１領域５１１ｇに配置された第１ＬＥＤ素子５２１に対向する。拡散レンズ６１２は、複数のＬＥＤ素子５２のうち、第２領域５１２ｇに配置された第２ＬＥＤ素子５２２に対向する。集光レンズ６１１は、第１ＬＥＤ素子５２１が発した光を前記外縁の一部から第１領域５１１ｇの外側に向かう集光方向に集光する。拡散レンズ６１２は、第２ＬＥＤ素子５２２が発した光を拡散させる。【選択図】図１１
2019033047.tif 000002
【特許請求の範囲】
【請求項１】
複数の固体発光素子がそれぞれ実装面の実装領域に配置された基板と、
前記複数の固体発光素子のそれぞれに対向して設けられた複数のレンズと、を備え、
前記複数のレンズは、前記複数の固体発光素子のうち、前記実装領域の外縁の一部を含む第１領域に配置された第１固体発光素子に対向する集光レンズと、前記複数の固体発光素子のうち、前記実装領域において前記第１領域以外の第２領域に配置された第２固体発光素子に対向する拡散レンズとを含み、
前記集光レンズは、前記第１固体発光素子が発した光を前記外縁の一部から前記第１領域の外側に向かう集光方向に集光し、
前記拡散レンズは、前記第２固体発光素子が発した光を拡散させる
ことを特徴とする照明装置。
【請求項２】
前記集光レンズは、前記実装面から離れる方向へ突出した凸形状であり、
前記集光レンズの表面において、前記集光方向の側の曲率は前記集光方向の反対側の曲率より小さい
ことを特徴とする請求項１記載の照明装置。
【請求項３】
前記集光レンズは２つ以上であり、
前記２つ以上の集光レンズは、前記第１領域に含まれる前記実装領域の前記外縁の一部に沿って設けられた第１集光レンズと、前記第１集光レンズの隣りに配置された第２集光レンズとを含み、
前記第１集光レンズの表面における前記集光方向の側の曲率は、前記第２集光レンズの表面における前記集光方向の側の曲率より小さい
ことを特徴とする請求項２記載の照明装置。
【請求項４】
前記実装領域は長尺状に形成されており、
前記第１領域は、前記実装領域の長手方向の一端側に位置し、
前記第２領域は、前記実装領域の前記長手方向の他端側に位置する
ことを特徴とする請求項１乃至３のいずれか一項に記載の照明装置。
【請求項５】
前記実装領域を２つ備え、
前記２つの実装領域のうち、一方の実装領域の前記第１領域と他方の実装領域の前記第１領域とは所定方向において互いに対向しており、
前記一方の実装領域の前記第１固体発光素子に対向する前記集光レンズの前記集光方向と、前記他方の実装領域の前記第１固体発光素子に対向する前記集光レンズの前記集光方向とは、前記所定方向において互いに逆方向である
ことを特徴とする請求項１乃至４のいずれか一項に記載の照明装置。
【請求項６】
前記基板を２つ備え、
前記２つの基板は、前記２つの実装領域をそれぞれ有しており、
前記２つの基板のうち一方の基板の端部と他方の基板の端部とは前記所定方向において互いに対向しており、
前記一方の基板の前記端部及び前記他方の基板の前記端部には半円形状の切り欠きがそれぞれ形成されている
ことを特徴とする請求項５記載の照明装置。
【請求項７】
前記複数の固体発光素子へ負荷電力を供給する電源装置をさらに備えることを特徴とする請求項１乃至６のいずれか一項に記載の照明装置。
【請求項８】
請求項１乃至７のいずれか一項に記載の照明装置と、前記照明装置が取り付けられた器具本体とを備えることを特徴とする照明器具。
【請求項９】
前記照明装置は、前記照明装置に外部からの入力電力を供給する給電部が挿入される挿入空間を有しており、
前記挿入空間は、前記実装領域の前記外縁の一部の隣りに位置する
ことを特徴とする請求項８記載の照明器具。
【発明の詳細な説明】
【技術分野】
【０００１】
本発明は、照明装置、及び照明器具に関するものである。
【背景技術】
【０００２】
従来、複数のＬＥＤ素子を備えた照明器具が提供されている。そして、複数のＬＥＤ素子を環状に設けた照明器具では、ランプカバーの中央が暗く見えて、輝度むらが発生していた。そこで、従来の照明器具は、輝度むらを抑制するために、ＬＥＤ素子が発する光を広角に拡散させて配光する広角レンズを備えている（例えば、特許文献１参照）。
【先行技術文献】
【特許文献】
【０００３】
【特許文献１】特開２０１３−４５６３０号公報
【発明の概要】
【発明が解決しようとする課題】
【０００４】
しかしながら、従来の照明器具は、複数のＬＥＤ素子（固体発光素子）が発する光を広角レンズによって拡散させているだけであり、輝度むらを十分に抑制することはできなかった。
【０００５】
本発明は、上記事由に鑑みてなされたものであり、その目的は、複数の固体発光素子を備えて、輝度むらを十分に抑制することができる照明装置、及び照明器具を提供することにある。
【課題を解決するための手段】
【０００６】
本発明の照明装置は、複数の固体発光素子がそれぞれ実装面の実装領域に配置された基板と、前記複数の固体発光素子のそれぞれに対向して設けられた複数のレンズと、を備える。前記複数のレンズは、集光レンズと、拡散レンズとを含む。前記集光レンズは、前記複数の固体発光素子のうち、前記実装領域の外縁の一部を含む第１領域に配置された第１固体発光素子に対向する。前記拡散レンズは、前記複数の固体発光素子のうち、前記実装領域において前記第１領域以外の第２領域に配置された第２固体発光素子に対向する。前記集光レンズは、前記第１固体発光素子が発した光を前記外縁の一部から前記第１領域の外側に向かう集光方向に集光し、前記拡散レンズは、前記第２固体発光素子が発した光を拡散させる。
【０００７】
本発明の照明器具は、上述の照明装置と、前記照明装置が取り付けられた器具本体とを備える。
【発明の効果】
【０００８】
以上説明したように、本発明では、複数の固体発光素子を備えて、輝度むらを十分に抑制することができるという効果がある。
【図面の簡単な説明】
【０００９】
【図１】図１は、本発明の実施形態に係る照明器具を示す分解斜視図である。
【図２】図２は、上述の照明器具を示す別の分解斜視図である。
【図３】図３は、上述の照明装置を示す分解斜視図である。
【図４】図４は、上述の照明装置を示す別の分解斜視図である。
【図５】図５は、上述の照明装置が備える電源ユニットを示す正面図である。
【図６】図６は、上述の照明装置が備える電源ユニットを示す分解斜視図である。
【図７】図７は、上述の照明装置が備える電源装置を示すブロック図である。
【図８】図８は、上述の照明装置が備えるＬＥＤモジュールを示す正面図である。
【図９】図９は、上述のＬＥＤモジュールにレンズブロックが取り付けられた状態を示す正面図である。
【図１０】図１０は、上述のＬＥＤモジュールに取り付けられたレンズブロックを示す側面図である。
【図１１】図１１は、上述のＬＥＤモジュールに取り付けられたレンズブロックを示す側面断面図である。
【図１２】図１２Ａは、上述の照明装置が備える第１集光レンズの配光特性を示す特性図である。図１２Ｂは、上述の照明装置が備える第２集光レンズの配光特性を示す特性図である。図１２Ｃは、上述の照明装置が備える拡散レンズの配光特性を示す特性図である。
【図１３】図１３Ａは、上述の照明器具を示す下方から見た斜視図である。図１３Ｂは、上述の照明器具を示す上方から見た斜視図である。
【発明を実施するための形態】
【００１０】
以下、本発明に係る照明装置の実施形態、並びに本発明に係る照明器具の実施形態について、図面を参照して詳細に説明する。なお、以下に説明する実施形態は、本発明の実施形態の一例にすぎない。本発明は、以下の実施形態に限定されず、本発明の効果を奏することができれば、設計等に応じて種々の変更が可能である。
【００１１】
本実施形態の照明器具１は、図１、図２に示すように、照明装置２と、器具本体９とを備える。器具本体９は、カバー９１と、フレーム９２と、グローブ９３とを備える。器具本体９は、一対の導光部材９４をさらに備えることが好ましい。照明器具１は、造営材（天井仕上げ材）に取り付けられる。なお、照明器具１は、住宅の天井に設置されている引掛シーリングボディ１０１に着脱可能に取り付けられる、所謂シーリングライトである。図１、図２では、カバー９１からグローブ９３に向かう向きが下向きとなり、グローブ９３からカバー９１に向かう向きが上向きとなる。
【００１２】
照明装置２は、図３、図４に示すように、ケース３と、電源ユニット４と、ＬＥＤモジュール５と、２つのレンズブロック６とを備える。
【００１３】
ケース３は、第１ケース３１と、第２ケース３２とを有する。第１ケース３１は、鋼板などの金属板により、下面に開口を有する矩形箱状に形成されている。第２ケース３２は、鋼板などの金属板により矩形板状に形成されている。第１ケース３１の上面の中央には長円形の凹部３１１が形成されており、凹部３１１の中央には円形の孔３１２が上下方向に貫通している。また、第２ケース３２の中央には円形の孔３２１が上下方向に貫通している。さらに、第２ケース３２の長手方向の一端側には、矩形状の貫通孔３２４が上下方向に貫通している。
【００１４】
また、第１ケース３１の下面開口の縁には、長手方向に沿って鍔部３１３が形成されている。また、第２ケース３２の長手方向の縁は下方に折り曲げられており、第２ケース３２は、長手方向に沿った側壁３２２を有している。さらに、側壁３２２の下端には長手方向に沿って鍔部３２３が形成されている。そして、鍔部３２３が鍔部３１３にねじ止めされることによって、第２ケース３２は、第１ケース３１の下面を覆うようにして、第１ケース３１に取り付けられる。つまり、第１ケース３１と第２ケース３２とが互いに結合することによって、長尺の矩形箱状のケース３が構成されている。そして、ケース３の内部に電源ユニット４が収納されている。
【００１５】
電源ユニット４は、図５、図６に示すように、取付台４０、ホルダ４１、電源装置４２を有している。
【００１６】
電源装置４２は、商用電源から供給される交流電力（入力電力）を直流の負荷電力に変換し、直流の負荷電力をＬＥＤモジュール５に供給するように構成されている。電源装置４２は、第１回路ブロック４３と、第２回路ブロック４４とを備えている。
【００１７】
第１回路ブロック４３は、商用電源から交流電圧を入力され、交流電圧の整流及び整流電圧の昇圧を行い、昇圧した直流電圧（昇圧電圧）を出力する力率改善回路４３ａを構成している。そして、第１回路ブロック４３は、プリント配線板である第１電源基板４３１に、半導体スイッチング素子、インダクタ、ダイオード、コンデンサ及び半導体スイッチング素子の駆動回路などの回路部品４３２を実装したプリント回路で実現されている。
【００１８】
第２回路ブロック４４は、降圧回路４４ａ、制御回路４４ｂを有する。降圧回路４４ａは、第１回路ブロック４３が出力する昇圧電圧を降圧してＬＥＤモジュール５に直流の負荷電流を供給する降圧チョッパ回路であり、降圧型のＤＣＤＣコンバータを構成している。
【００１９】
制御回路４４ｂは、コンピュータを有しており、コンピュータがプログラムを実行することで、力率改善回路４３ａ及び降圧回路４４ａの各動作を制御する。コンピュータは、プログラムを実行するプロセッサを備えたデバイスと、他の装置との間で信号を授受するためのインターフェイス用のデバイスと、プログラムやデータなどを記憶する記憶用のデバイスとを主な構成要素として備える。プロセッサを備えたデバイスは、記憶用のデバイスと別体であるＣＰＵ（Central Processing Unit）またはＭＰＵ（Micro Processing Unit）のほか、記憶用のデバイスを一体に備えるマイクロコンピュータ（Microcomputer）のいずれであってもよい。記憶用のデバイスには、半導体メモリのようにアクセス時間が短い記憶装置が主に用いられる。プログラムの提供形態としては、コンピュータに読み取り可能な半導体メモリ、光ディスク等の記録媒体に予め格納されている形態、インターネット等を含む広域通信網を介して記録媒体に供給される形態等がある。
【００２０】
第２回路ブロック４４は、プリント配線板である第２電源基板４４１に、半導体スイッチング素子、インダクタ、ダイオード、コンデンサ、半導体スイッチング素子の駆動回路、及び演算処理用の集積回路などの回路部品４４２を実装したプリント回路で実現されている。
【００２１】
取付台４０は、合成樹脂のように電気絶縁性を有する材料により矩形の平板状に形成されている。取付台４０には長円形の貫通孔４０１が上下方向に貫通している。取付台４０の下面における貫通孔４０１の周囲には、下向きに突出する長円筒形状の隔壁４０２が設けられている。
【００２２】
第１回路ブロック４３と第２回路ブロック４４とは、隔壁４０２を挟んで取付台４０の長手方向に沿って並んで配置されており、第１電源基板４３１，第２電源基板４４１が、取付台４０の下面にねじ止めされて取り付けられている。つまり、電源装置４２は、取付台４０の下面に取り付けられている。そして、電源装置４２は、取付台４０が第１ケース３１にねじ止めされることで第１ケース３１に取り付けられてケース３内に収納される。
【００２３】
第１電源基板４３１は矩形板状に形成されており、３つの隅部に挿通孔４３６が形成されている。また、取付台４０の下面において、第１電源基板４３１の配置箇所には、３本の位置決め用の突起４０５ａが突出している。そして、３本の突起４０５ａが３つの挿通孔４３６にそれぞれ挿通されることによって、第１電源基板４３１が取付台４０の下面において位置決めされる。さらに、隔壁４０２の外周側には係止爪４０７ａが形成されている。そして、係止爪４０７ａは、第１電源基板４３１の表面４３３（下面）を押さえることによって、第１電源基板４３１を保持しており、第１電源基板４３１は上下方向の位置決めがなされている。
【００２４】
第２電源基板４４１は矩形板状に形成されており、４つの隅部に挿通孔４４８が形成されている。また、取付台４０の下面において、第２電源基板４４１の配置箇所には、３本の位置決め用の突起４０５ｂが突出している。そして、４つの挿通孔４４８のうち３つの挿通孔４４８を３本の突起４０５ｂにそれぞれ挿通させることによって、第２電源基板４４１が取付台４０の下面において位置決めされる。さらに、隔壁４０２の外周側には係止爪４０７ｂが形成されており、取付台４０の端部には係止爪４０７ｃが形成されている。そして、係止爪４０７ｂ，４０７ｃは、第２電源基板４４１の表面４４３（下面）を押さえることによって、第２電源基板４４１を保持しており、第２電源基板４４１は上下方向の位置決めがなされている。
【００２５】
また、取付台４０の下面において、第１電源基板４３１の裏面４３４（上面）に対向する箇所には、概ね矩形枠形状の凸壁４０９が形成されており、凸壁４０９の内側にシリコ−ン樹脂等で生成されたサーマルシートを配置している。サーマルシートは、第１電源基板４３１の発熱を取付台４０に伝達することで、第１電源基板４３１を効率よく放熱させる。
【００２６】
第１電源基板４３１の表面４３３（下面）及び裏面４３４（上面）には、回路部品４３２に電気的に接続した導体（銅箔）が形成されている。表面４３３の導体と裏面４３４の導体とは、必要であれば第１電源基板４３１に設けたスルーホールによって互いに電気的に接続される。さらに、第１電源基板４３１の表面４３３には、レセプタクルコネクタ４３０ａが実装されている。ホルダ４１の筒体４１０には引掛シーリングアダプタ１０２（給電部）（図１、図２参照）が挿入され、レセプタクルコネクタ４３０ａは、引掛シーリングアダプタ１０２の電極に電気的に接続しているプラグコネクタと挿抜可能に電気的且つ機械的に接続される。そして、レセプタクルコネクタ４３０ａは、引掛シーリングアダプタ１０２から交流電力を受け取る。また、レセプタクルコネクタ４３０ａは、第１電源基板４３１の導体に電気的に接続している。隔壁４０２の外側面には、電線保持部４０４ａが設けられている。電線保持部４０４ａは、電線にかかる張力を抑えるために、レセプタクルコネクタ４３０ａに接続されている電線を保持する。
【００２７】
さらに、第１電源基板４３１の表面４３３には、レセプタクルコネクタ４３５ａが実装されており、レセプタクルコネクタ４３５ａは、第１電源基板４３１の導体に電気的に接続している。レセプタクルコネクタ４３５ａは、レセプタクルコネクタ４３５ａと一対一に対応するプラグコネクタ４３５ｂと挿抜可能に電気的且つ機械的に接続される。なお、１つのレセプタクルコネクタ４３５ａと１つのプラグコネクタ４３５ｂとで１つのコネクタ４３５が構成されている。
【００２８】
プラグコネクタ４３５ｂは、複数の電線４５の一端に電気的且つ機械的に接続されている。複数の電線４５の他端には、プラグコネクタ４４５ｂがそれぞれ電気的且つ機械的に接続されている。プラグコネクタ４４５ｂは、第２電源基板４４１の表面４４３（下面）に実装されているレセプタクルコネクタ４４５ａと挿抜可能に電気的且つ機械的に接続される。第２電源基板４４１の表面４４３及び裏面４４４（上面）には、回路部品４４２に電気的に接続した導体（銅箔）が形成されている。表面４４３の導体と裏面４４４の導体とは、必要であれば第２電源基板４４１に設けたスルーホールによって互いに電気的に接続される。そして、レセプタクルコネクタ４４５ａは、第２電源基板４４１の導体に電気的に接続している。なお、１つのレセプタクルコネクタ４４５ａと１つのプラグコネクタ４４５ｂとで１つのコネクタ４４５が構成されている。隔壁４０２の外側面には、電線保持部４０４ｂが設けられている。電線保持部４０４ｂは、電線にかかる張力を抑えるために複数の電線４５を保持する。
【００２９】
上述のように、第１回路ブロック４３と第２回路ブロック４４とは、複数の電線４５を介して互いに電気的に接続している。本実施形態では４本の電線４５を備えており、４本の電線４５は、直流電圧線、入力検知線、制御線、グランド線をそれぞれ構成する。直流電圧線には、力率改善回路４３ａが出力する直流の昇圧電圧が印加されて、第１回路ブロック４３から第２回路ブロック４４へ直流電力を供給する。入力検知線には、力率改善回路４３ａに入力された交流電圧の整流電圧が印加されて、交流電力の供給が開始されたことを第２回路ブロック４４へ通知する。制御線には、第２回路ブロック４４で生成された制御電圧が印加されて、第２回路ブロック４４から第１回路ブロック４３へ制御電源を供給する。グランド線は、第１電圧線、第２電圧線、及び制御線の電気的なグランドレベルになる。
【００３０】
ここで、図７に示すように、降圧回路４４ａは４つの降圧チョッパ回路ＰＳ１−ＰＳ４を有しており、４つの降圧チョッパ回路ＰＳ１−ＰＳ４は、力率改善回路４３ａが出力する昇圧電圧Ｖ１（直流電圧）を入力され、昇圧電圧Ｖ１をそれぞれの負荷電圧Ｖ２１−Ｖ２４に降圧して出力する。なお、降圧チョッパ回路ＰＳ１は、後述のＬＥＤモジュール５の昼光色のＬＥＤ素子５２ａに直流の負荷電力を供給する。降圧チョッパ回路ＰＳ２は、後述のＬＥＤモジュール５の電球色のＬＥＤ素子５２ｂに直流の負荷電力を供給する。降圧チョッパ回路ＰＳ３は、後述のＬＥＤモジュール５の電球色のＬＥＤ素子５３ａに直流の負荷電力を供給する。降圧チョッパ回路ＰＳ４は、後述のＬＥＤモジュール５の電球色のＬＥＤ素子５３ｂに直流の負荷電力を供給する。
【００３１】
そして、図５、図６に示すように、第２回路ブロック４４では、第２電源基板４４１の表面４４３に２つのレセプタクルコネクタ４４６ａ，４４７ａがさらに実装されている。レセプタクルコネクタ４４６ａは、降圧チョッパ回路ＰＳ１−ＰＳ４がそれぞれ出力する負荷電圧Ｖ２１−Ｖ２４の各正電位に電気的に接続している。レセプタクルコネクタ４４７ａは、降圧チョッパ回路ＰＳ１−ＰＳ４がそれぞれ出力する負荷電圧Ｖ２１−Ｖ２４の各負電位に電気的に接続している。
【００３２】
そして、レセプタクルコネクタ４４６ａは、レセプタクルコネクタ４４６ａと一対一に対応するプラグコネクタ４４６ｂと挿抜可能に電気的且つ機械的にそれぞれ接続される。プラグコネクタ４４６ｂは、複数の電線４６１の一端に電気的且つ機械的に接続されている。また、レセプタクルコネクタ４４７ａは、レセプタクルコネクタ４４７ａと一対一に対応するプラグコネクタ４４７ｂと挿抜可能に電気的且つ機械的にそれぞれ接続される。プラグコネクタ４４７ｂは、複数の電線４６２の一端に電気的且つ機械的に接続されている。なお、１つのレセプタクルコネクタ４４６ａと１つのプラグコネクタ４４６ｂとで１つのコネクタ４４６が構成されている。また、１つのレセプタクルコネクタ４４７ａと１つのプラグコネクタ４４７ｂとで１つのコネクタ４４７が構成されている。
【００３３】
そして、降圧回路４４ａの出力（降圧チョッパ回路ＰＳ１−ＰＳ４の各出力）は、複数の電線４６１、４６２を介してＬＥＤモジュール５と電気的に接続される。
【００３４】
ホルダ４１は、引掛シーリングアダプタ１０２を支持する筒体４１０と、筒体４１０と一体に形成された固定板４１１とを有している。固定板４１１は、合成樹脂によって円形の平板状に形成されている。固定板４１１の中央には円形の孔が貫通している。筒体４１０は、合成樹脂によって円筒形に形成されている。筒体４１０は、固定板４１１の下面における孔の周縁から下向きに突出するように固定板４１１と一体に形成されている。ホルダ４１の固定板４１１は、取付台４０にねじ止めされる。ホルダ４１の筒体４１０は、固定板４１１が取付台４０にねじ止めされている状態で隔壁４０２の内側に配置される。隔壁４０２の長円柱形状の内部空間は長円柱形状の挿入空間４０３であり、ホルダ４１の筒体４１０は、挿入空間４０３に配置されている。
【００３５】
電源ユニット４は、取付台４０が第１ケース３１にねじ止めされることで第１ケース３１に取り付けられてケース３内に収納される。取付台４０の隔壁４０２の下端が第２ケース３２の孔３２１に挿入される。そして、ホルダ４１の筒体４１０に引掛シーリングアダプタ１０２が挿入される。言い換えると、給電部に相当する引掛シーリングアダプタ１０２が隔壁４０２内の挿入空間４０３に挿入されている。
【００３６】
そして、引掛シーリングアダプタ１０２は、天井に設置されている引掛シーリングボディ１０１に着脱可能に取り付けられる。電源ユニット４が収納されているケース３は、引掛シーリングアダプタ１０２に着脱可能に取り付けられる。つまり、ケース３は、引掛シーリングアダプタ１０２を介して引掛シーリングボディ１０１に着脱可能に取り付けられ、引掛シーリングアダプタ１０２を介して引掛シーリングボディ１０１に支持される。但し、引掛シーリングボディ１０１及び引掛シーリングアダプタ１０２は従来周知であるから、詳細な構成の図示及び説明を省略する。
【００３７】
電源装置４２の概略動作について、図７を用いて説明する。
【００３８】
力率改善回路４３ａは、入力回路４３ｂ、昇圧チョッパ回路４３ｃを備える。入力回路４３ｂは、力率改善回路４３ａに入力された交流電圧Ｖａｃを全波整流し、昇圧チョッパ回路４３ｃへ整流電圧Ｖｒを出力する。昇圧チョッパ回路４３ｃは、整流電圧Ｖｒを昇圧し、この昇圧した直流電圧である昇圧電圧Ｖ１を降圧回路４４ａへ出力する。
【００３９】
降圧回路４４ａは、４つの降圧チョッパ回路ＰＳ１−ＰＳ４を有している。４つの降圧チョッパ回路ＰＳ１−ＰＳ４は、力率改善回路４３ａが出力する昇圧電圧Ｖ１を入力され、昇圧電圧Ｖ１をそれぞれ降圧し、降圧した直流電圧である負荷電圧Ｖ２１−Ｖ２４をそれぞれ出力する。
【００４０】
制御回路４４ｂは、制御電源ＣＰ１と、制御ブロックＣＢ１とを備える。制御電源ＣＰ１は、電源装置４２を駆動させるための制御電圧Ｖｃを生成する。制御ブロックＣＢ１は、ＣＰＵ、ＭＰＵ、またはマイコンなどのコンピュータと、ブザー、常夜灯用のＬＥＤ素子、赤外線受光素子などの周辺回路とを備える。
【００４１】
そして、第１回路ブロック４３の力率改善回路４３ａに交流電圧Ｖａｃが入力されると、交流電力の供給開始を通知する通知信号として、力率改善回路４３ａから第２回路ブロック４４へ整流電圧Ｖｒが出力される。第２回路ブロック４４では、制御電源ＣＰ１が整流電圧Ｖｒから制御電圧Ｖｃを生成し、この制御電圧ＶｃをＩＮＴ信号Ｓ１として、制御ブロックＣＢ１へ出力する。ＩＮＴ信号Ｓ１を受信した制御ブロックＣＢ１のコンピュータは、制御電圧Ｖｃを供給されて、動作を開始する。そして、制御ブロックＣＢ１のコンピュータは、制御電源ＣＰ１から第１回路ブロック４３へ制御電圧Ｖｃを供給させる。制御電圧Ｖｃを供給された第１回路ブロック４３では、力率改善回路４３ａが起動して昇圧動作を開始し、力率改善回路４３ａは、第２回路ブロック４４へ昇圧電圧Ｖ１を出力する。そして、制御ブロックＣＢ１のコンピュータは、降圧チョッパ回路ＰＳ１−ＰＳ４の各動作を制御する。
【００４２】
制御ブロックＣＢ１のコンピュータは、降圧チョッパ回路ＰＳ１へ調光信号Ｓ１１を出力して負荷電圧Ｖ２１を制御することによって、昼光色のＬＥＤ素子５２ａの点灯、消灯、調光などを制御する。また、制御ブロックＣＢ１のコンピュータは、降圧チョッパ回路ＰＳ２−ＰＳ４へ制御信号Ｓ１２を出力して負荷電圧Ｖ２２−Ｖ２４をそれぞれ制御することによって、電球色のＬＥＤ素子５２ｂ，５３ａ，５３ｂのそれぞれの点灯、消灯などを制御する。
【００４３】
以下、ＬＥＤモジュール５について、図３、図４、図８を用いて説明する。
【００４４】
ＬＥＤモジュール５は、２つのＬＥＤ基板５１と、各ＬＥＤ基板５１の実装面５１ａ（下面）に実装される複数のＬＥＤ素子５２とを備えている。ＬＥＤ基板５１は、概ね長尺の矩形状に形成されている。なお、２つのＬＥＤ基板５１は同一の形状及び寸法に形成されている。２つのＬＥＤ基板５１は、例えば、ガラス布基材エポキシ樹脂基板で形成されている。
【００４５】
２つのＬＥＤ基板５１は、それぞれの長手方向の第１端５１ｂが互いに対向するように配置されている。第１端５１ｂの中央には半円形状の切り欠き５１ｃが形成されている。そして、２つのＬＥＤ基板５１のそれぞれの第１端５１ｂが互いに対向することによって、２つのＬＥＤ基板５１の各切り欠き５１ｃが１つの円形状の貫通孔５１ｄを形成している。また、ＬＥＤ基板５１の長手方向の第２端５１ｅ（第１端５１ｂとは反対の端）の中央には、ＬＥＤ基板５１の長手方向に沿って、概ね矩形状の切り欠き５１ｆが形成されている。
【００４６】
各ＬＥＤ基板５１の実装面５１ａでは、第１端５１ｂからＬＥＤ基板５１の長手方向に沿って、切り欠き５１ｃの半円形の縁を含む略矩形の長尺状の領域が実装領域５１ｇになる。すなわち、第１端５１ｂの一部が実装領域５１ｇの外縁の一部となる。言い換えると、実装領域５１ｇの外縁は、切り欠き５１ｃの半円形の縁を含んでいる。そして、複数のＬＥＤ素子５２は、実装領域５１ｇにおいて、ＬＥＤ基板５１の長手方向に沿って並ぶように、４列に実装されている。複数のＬＥＤ素子５２は、４列となるように実装されているが、３列以下若しくは５列以上となるように実装されてもよい。本実施形態では、複数のＬＥＤ素子５２は、昼光色のＬＥＤ素子５２ａ、及び電球色のＬＥＤ素子５２ｂを含んでいる。
【００４７】
すなわち、ＬＥＤモジュール５は、２つの実装領域５１ｇを備えており、２つの実装領域５１ｇは、ＬＥＤ基板５１の長手方向において、円形状の貫通孔５１ｄを挟んで互いに対向している。
【００４８】
実装領域５１ｇは、さらに第１領域５１１ｇ、第２領域５１２ｇに分けられている。
【００４９】
第１領域５１１ｇは、実装領域５１ｇにおいて第１端５１ｂ側の領域であり、切り欠き５１ｃの半円形の縁（実装領域５１ｇの外縁の一部）を含む領域である。そして、第１領域５１１ｇには、複数のＬＥＤ素子５２の各列において、第１端５１ｂから１番目と２番目に位置する各ＬＥＤ素子５２（第１ＬＥＤ素子５２１）が実装されている。本実施形態では、８個の第１ＬＥＤ素子５２１を備える。なお、第１ＬＥＤ素子５２１は、第１固体発光素子に相当する。
【００５０】
第２領域５１２ｇは、実装領域５１ｇにおいて第１領域５１１ｇ以外の第２端５１ｅ側の領域であり、複数のＬＥＤ素子５２の各列において、第１端５１ｂから３番目以降に位置する各ＬＥＤ素子５２（第２ＬＥＤ素子５２２）が実装されている。なお、第２ＬＥＤ素子５２２は、第２固体発光素子に相当する。
【００５１】
さらに、各ＬＥＤ基板５１の実装面５１ａでは、一方の側縁に、複数の電球色のＬＥＤ素子５３ａが長手方向に並んで実装されている。また、各ＬＥＤ基板５１の実装面５１ａでは、他方の側縁に、複数の電球色のＬＥＤ素子５３ｂが長手方向に並んで実装されている。
【００５２】
各ＬＥＤ基板５１には、４つの第１位置決め孔５１ｈ、４つの第２位置決め孔５１ｉ、２つの第３位置決め孔５１ｊが形成されている。第１位置決め孔５１ｈ，第２位置決め孔５１ｉ、第３位置決め孔５１ｊは、ＬＥＤ基板５１を厚み方向にそれぞれ貫通している。
【００５３】
そして、ＬＥＤ基板５１の実装面５１ａ（下面）及び裏面５１ｍ（上面）には、複数のＬＥＤ素子５２ａ，５２ｂ，５３ａ，５３ｂに電気的に接続した導体（銅箔）が形成されている。実装面５１ａの導体と裏面５１ｍの導体とは、必要であればＬＥＤ基板５１に設けたスルーホールによって互いに電気的に接続してもよい。
【００５４】
そして、ＬＥＤ基板５１は、４つの第１位置決め孔５１ｈにそれぞれ挿入されたねじによって、第２ケース３２の下面に取り付けられる。
【００５５】
さらに、ＬＥＤ基板５１の実装面５１ａには、レセプタクルコネクタ５４１ａ、及びレセプタクルコネクタ５４２ａがそれぞれ実装されている。レセプタクルコネクタ５４１ａとレセプタクルコネクタ５４２ａとは、実装領域５１ｇを挟んでＬＥＤ基板５１の短手方向に並んで配置されている。レセプタクルコネクタ５４１ａ，５４２ａは、ＬＥＤ基板５１の導体に電気的にそれぞれ接続している。
【００５６】
まず、レセプタクルコネクタ５４１ａは、レセプタクルコネクタ５４１ａと一対一に対応するプラグコネクタ５４１ｂと挿抜可能に電気的且つ機械的に接続される。２つのプラグコネクタ５４１ｂは、複数の電線５４によって電気的に互いに接続されており、２つのＬＥＤ基板５１は、複数の電線５４を介して互いに電気的に接続している。なお、１つのレセプタクルコネクタ５４１ａと１つのプラグコネクタ５４１ｂとで１つのコネクタ５４１が構成されている。
【００５７】
本実施形態では、４本の電線５４を備えている。そして、一方のＬＥＤ基板５１に実装されている複数のＬＥＤ素子５２ａ，５２ｂ，５３ａ，５３ｂと、他方のＬＥＤ基板５１に実装されている複数のＬＥＤ素子５２ａ，５２ｂ，５３ａ，５３ｂとは、４本の電線５４によってそれぞれ電気的に直列接続される。すなわち、２つのＬＥＤ基板５１に実装されている複数のＬＥＤ素子５２ａは電気的に直列接続し、２つのＬＥＤ基板５１に実装されている複数のＬＥＤ素子５２ｂは電気的に直列接続している。さらに、２つのＬＥＤ基板５１に実装されている複数のＬＥＤ素子５３ａは電気的に直列接続し、２つのＬＥＤ基板５１に実装されている複数のＬＥＤ素子５３ｂは電気的に直列接続している。
【００５８】
そして、２つのＬＥＤ基板５１のうち、一方のＬＥＤ基板５１のレセプタクルコネクタ５４２ａは、複数の電線４６１が接続しているプラグコネクタ５４２ｂと挿抜可能に電気的且つ機械的に接続している。２つのＬＥＤ基板５１のうち、他方のＬＥＤ基板５１のレセプタクルコネクタ５４２ａは、複数の電線４６２が接続しているプラグコネクタ５４２ｂと挿抜可能に電気的且つ機械的に接続している。なお、１つのレセプタクルコネクタ５４２ａと１つのプラグコネクタ５４２ｂとで１つのコネクタ５４２が構成されている。
【００５９】
すなわち、２つのＬＥＤ基板５１のうち、一方のＬＥＤ基板５１は、複数の電線４６１を介して、降圧チョッパ回路ＰＳ１−ＰＳ４がそれぞれ出力する負荷電圧Ｖ２１−Ｖ２４の各正電位に電気的に接続する。他方のＬＥＤ基板５１は、複数の電線４６２を介して、降圧チョッパ回路ＰＳ１−ＰＳ４がそれぞれ出力する負荷電圧Ｖ２１−Ｖ２４の各負電位に電気的に接続する。すなわち、降圧チョッパ回路ＰＳ１−ＰＳ４のそれぞれは、電線４６１、一方のＬＥＤ基板５１、電線５４、他方のＬＥＤ基板５１、電線４６２を経由する各閉ループに負荷電流を流すことができる。
【００６０】
以下、レンズブロック６について、図９を用いて説明する。
【００６１】
２つのレンズブロック６は、概ね矩形板状のベース６０と、複数のレンズ６１とをそれぞれ有している。複数のレンズ６１は、ベース６０の下面６０ｅにおいてベース６０の長手方向に沿って並ぶように、４列に実装されている。ベース６０と複数のレンズ６１とは、ガラス又は透光性を有する合成樹脂（アクリル樹脂若しくはポリカーボネート樹脂）の成形体によって一体に形成されることが好ましい。ベース６０は、両側縁の各中央から外側方向に突出した一対の三角形状のリブ６０１が形成されており、リブ６０１の下面には円柱形状の位置決め用の突起６０２が上方向に突出している。そして、２つの突起６０２が、ＬＥＤ基板５１に形成されている２つの第３位置決め孔５１ｊに一対一にかん合することで、レンズブロック６はＬＥＤ基板５１と位置決めされる。
【００６２】
ベース６０の長手方向の第１端６０ａには、円弧状の切り欠き６０ｂが形成されている。さらに、ベース６０の長手方向の第２端６０ｃ（第１端６０ａとは反対の端）には、概ね矩形状の透光窓６０ｄが形成されている。そして、上述の位置決め後のレンズブロック６は、円弧状の切り欠き６０ｂがＬＥＤ基板５１の半円形状の切り欠き５１ｃの縁に沿うように、ＬＥＤ基板５１の実装面５１ａ上に配置されている。したがって、２つのレンズブロック６は、それぞれの第１端６０ａが互いに対向するように、２つのＬＥＤ基板５１にそれぞれ取り付けられる。
【００６３】
また、透光窓６０ｄはＬＥＤ基板５１の切り欠き５１ｆに対向している。そして、２つのレンズブロック６のうち、一方のレンズブロック６の透光窓６０ｄは、切り欠き５１ｆ、及び貫通孔３２４を介して、電源ユニット４の制御回路４４ｂに対向している。
【００６４】
そして、レンズ６１は、ＬＥＤ素子５２に一対一に対向しており、ＬＥＤ基板５１の実装領域５１ｇの下方に設けられている。
【００６５】
複数のレンズ６１は、複数（本実施形態では８個）の集光レンズ６１１と、複数（集光レンズ６１１の数より多い）の拡散レンズ６１２とを含む。８個の集光レンズ６１１は、ベース６０の第１端６０ａ側に位置し、複数の拡散レンズ６１２は、ベース６０の第２端６０ｃ側に位置している。そして、８個の集光レンズ６１１は、８個の第１ＬＥＤ素子５２１にそれぞれ対向している。また、複数の拡散レンズ６１２は、複数の第２ＬＥＤ素子５２２にそれぞれ対向している。
【００６６】
さらに、８個の集光レンズ６１１は、４個の第１集光レンズ６１１ａと、４個の第２集光レンズ６１１ｂとに分けられる。４個の第１集光レンズ６１１ａは、８個の集光レンズ６１１の各列において、第１端５１ｂから１番目に位置する集光レンズ６１１である。４個の第２集光レンズ６１１ｂは、８個の集光レンズ６１１の各列において、第１端５１ｂから２番目に位置する集光レンズ６１１である。すなわち、４個の第１集光レンズ６１１ａは、４個の第２集光レンズ６１１ｂよりもベース６０の第１端６０ａに近く、円弧状の切り欠き６０ｂに沿って円弧状に配置されている。４個の第２集光レンズ６１１ｂは、４個の第１集光レンズ６１１ａよりもベース６０の第２端６０ｃ寄りに位置し、４個の第１集光レンズ６１１ａの隣で円弧状に配置されている。
【００６７】
複数の拡散レンズ６１２は、４個の第２集光レンズ６１１ｂよりも、ベース６０の第１端６０ａから遠くに位置しており、ベース６０の第２端６０ｃ寄りに位置する。
【００６８】
以下、レンズ６１の配光特性について、図１０、図１１を用いて詳述する。
【００６９】
第１集光レンズ６１１ａは、ベース６０の下面において下方へ突出した凸形状であり、概ね液滴形状に形成されている。具体的に、第１集光レンズ６１１ａの表面は曲面であり、ベース６０の短手方向から見た第１集光レンズ６１１ａの表面は、第１端６０ａ側の曲率が第２端６０ｃ側の曲率より小さい。すなわち、第１集光レンズ６１１ａにおいて、第１端６０ａ側の表面の立ち上がりは第２端６０ｃ側の表面の立ち上がりより急峻であり、第２端６０ｃ側の表面はなだらかに立ち上がっている。言い換えると、第１集光レンズ６１１ａの表面において、集光方向の側の曲率は集光方向の反対側の曲率より小さい。
【００７０】
さらに、第１集光レンズ６１１ａの上方において、ベース６０の上面には凹部６１１１が形成されており、凹部６１１１内に第１ＬＥＤ素子５２１が収納されている。凹部６１１１は、ベース６０の短手方向から見た場合に、第１端６０ａ側の曲率が第２端６０ｃ側の曲率より大きい。すなわち、凹部６１１１において、第２端６０ｃ側の内面の立ち上がりは第１端６０ａ側の内面の立ち上がりより急峻であり、第１端６０ａ側の内面はなだらかに立ち上がっている。
【００７１】
そして、上述の第１集光レンズ６１１ａは、レンズ表面の立ち上がりより急峻である第１端６０ａ側に光を集光させる配光特性を有している。したがって、第１集光レンズ６１１ａから出射する光は、第１端６０ａ側に集光され、第１集光レンズ６１１ａによって第１端６０ａ側に配光される光量は、第１集光レンズ６１１ａによって第２端６０ｃ側に配光される光量よりも多くなる。すなわち、第１集光レンズ６１１ａの集光方向は、ベース６０の長手方向において、第１端６０ａに向かう方向になる。
【００７２】
次に、第２集光レンズ６１１ｂは、ベース６０の下面において下方へ突出した凸形状であり、ベース６０の下面において概ね液滴形状に形成されている。具体的に、第２集光レンズ６１１ｂの表面は曲面であり、ベース６０の短手方向から見た第２集光レンズ６１１ｂの表面は、第１端６０ａ側の曲率が第２端６０ｃ側の曲率より小さい。すなわち、第２集光レンズ６１１ｂにおいて、第１端６０ａ側の表面の立ち上がりは第２端６０ｃ側の表面の立ち上がりより急峻であり、第２端６０ｃ側の表面はなだらかに立ち上がっている。言い換えると、第２集光レンズ６１１ｂの表面において、集光方向の側の曲率は集光方向の反対側の曲率より小さい。
【００７３】
さらに、第２集光レンズ６１１ｂの上方において、ベース６０の上面には凹部６１１２が形成されており、凹部６１１２内に第１ＬＥＤ素子５２１が収納されている。凹部６１１２は、ベース６０の短手方向から見た場合に、第１端６０ａ側の曲率が第２端６０ｃ側の曲率より大きい。すなわち、凹部６１１２において、第２端６０ｃ側の内面の立ち上がりは第１端６０ａ側の内面の立ち上がりより急峻であり、第１端６０ａ側の内面はなだらかに立ち上がっている。
【００７４】
そして、上述の第２集光レンズ６１１ｂは、レンズ表面の立ち上がりより急峻である第１端６０ａ側に光を集光させる配光特性を有している。したがって、第２集光レンズ６１１ｂから出射する光は、第１端６０ａ側に集光され、第２集光レンズ６１１ｂによって第１端６０ａ側に配光される光量は、第２集光レンズ６１１ｂによって第２端６０ｃ側に配光される光量よりも多くなる。すなわち、第２集光レンズ６１１ｂの集光方向は、ベース６０の長手方向において、第１端６０ａに向かう方向になる。
【００７５】
そして、第１集光レンズ６１１ａと第２集光レンズ６１１ｂとを比較すると、第１集光レンズ６１１ａの表面における第１端６０ａ側の曲率が、第２集光レンズ６１１ｂの表面における第１端６０ａ側の曲率より小さい。すなわち、第１集光レンズ６１１ａの第１端６０ａ側の表面の立ち上がりは、第２集光レンズ６１１ｂの第１端６０ａ側の表面の立ち上がりより急峻である。この結果、第１集光レンズ６１１ａの集光方向は、第２集光レンズ６１１ｂの集光方向よりも下向きになる。本実施形態では、ベース６０の短手方向から見て、第１集光レンズ６１１ａによって光量がピークとなる角度θ１（下方向に対する角度）は５６°（図１２Ａ参照）であり、第２集光レンズ６１１ｂによって光量がピークとなる角度θ２は５８°（図１２Ｂ参照）である。すなわち、第１集光レンズ６１１ａの集光方向は、第２集光レンズ６１１ｂの集光方向よりも下向きになっている。
【００７６】
次に、拡散レンズ６１２は、ベース６０の下面において下方へ突出した凸形状であり、ベース６０の下面において円盤形状に形成されている。さらに、第２集光レンズ６１１ｂの上方において、ベース６０の上面には凹部６１２１が形成されており、凹部６１２１内に第２ＬＥＤ素子５２２が収納されている。凹部６１２１は、ベース６０の短手方向から見た場合に、曲率が線対称となる山形形状に形成されている。
【００７７】
そして、上述の拡散レンズ６１２は、拡散レンズ６１２の周囲にほぼ均等に光を拡散させる配光特性を有している。したがって、第２ＬＥＤ素子５２２が発する光は、拡散レンズ６１２の周囲にほぼ均等に拡散している。本実施形態では、ベース６０の短手方向から見て、拡散レンズ６１２によって光量がピークとなる角度θ３（上下方向に対する角度）は６７°及び−６７°（図１２Ｃ参照）である。
【００７８】
上述の２つのＬＥＤ基板５１のそれぞれの第１端５１ｂは互いに対向している。そして、２つのＬＥＤ基板５１にそれぞれ設けられたレンズブロック６の集光レンズ６１１は、平面視において第１端５１ｂに向かう方向に集光している。すなわち、２つのレンズブロック６のうち、一方のレンズブロック６が有する集光レンズ６１１の集光方向と他方のレンズブロック６が有する集光レンズ６１１の集光方向とは、ＬＥＤ基板５１の長手方向において互いに逆方向になっている。したがって、２つのＬＥＤ基板５１にそれぞれ設けられたレンズブロック６の集光レンズ６１１は、平面視において貫通孔５１ｄに向かう方向に集光させている。
【００７９】
本実施形態の照明装置２は、２つのＬＥＤ基板５１の間に円形状の貫通孔５１ｄが形成されており、貫通孔５１ｄにはＬＥＤ素子が存在していない。さらに、貫通孔５１ｄには、筒体４１０の下端が挿通、または近付いている。すなわち、実装領域５１ｇの第１領域５１１ｇの隣には、筒体４１０が位置している。したがって、従来、この貫通孔５１ｄの下方に照射される光が、ＬＥＤ基板５１の下方に照射される光に比べて少なくなり、この結果、ＬＥＤ素子が存在していない貫通孔５１ｄの影による輝度むらが生じていた。
【００８０】
そこで、本実施形態の照明装置２は、上述のように、貫通孔５１ｄの周囲に集光レンズ６１１を備えている。したがって、集光レンズ６１１が貫通孔５１ｄの下方に光を集光させるので、貫通孔５１ｄの下方に照射される光が従来に比べて増大する。この結果、照明装置２の下方から見て、照明装置２の下面の輝度が従来より均一になって、輝度むらが抑制される。
【００８１】
また、複数の集光レンズ６１１は、貫通孔５１ｄとの位置関係に応じて、集光特性（集光方向）が異なる第１集光レンズ６１１ａまたは第２集光レンズ６１１ｂで構成されているので、輝度むらのさらなる抑制が可能となる。
【００８２】
さらに、ＬＥＤ基板５１の第２端５１ｅ側には、拡散レンズ６１２が設けられているので、貫通孔５１ｄから離れた領域における輝度むらを抑制して、照明空間に照射される光の均斉度をさらに向上させることができる。
【００８３】
そして、上述の照明装置２が器具本体９に取り付けられることで、図１３Ａ、図１３Ｂに示す照明器具１が構成される。器具本体９は、カバー９１、フレーム９２、グローブ９３、及び一対の導光部材９４を有する。
【００８４】
照明装置２のケース３の下面にはフレーム９２がねじ止めされる。フレーム９２は、矩形枠形状のメインフレーム９２ａと、メインフレーム９２ａの長手方向に沿った一対のサイドフレームの中央を短手方向に連結する補強フレーム９２ｂとを備える。そして、メインフレーム９２ａの長手方向の縁において上方に突出している突起が、ＬＥＤ基板５１の位置決め孔５１ｉにかん合することで、フレーム９２はＬＥＤ基板５１と位置決めされる。
【００８５】
また、メインフレーム９２ａの長手方向に沿った一対のサイドフレームには導光部材９４がそれぞれねじ止めされる。導光部材９４は、図１、図２に示すように、導光パネル９４ａと、ガイド部９４ｂと、複数（図示例では４つ）の取付片９４ｃとを有している。導光パネル９４ａ、ガイド部９４ｂ及び複数の取付片９４ｃは、アクリル樹脂又はポリカーボネート樹脂などの透光性を有する合成樹脂によって形成されることが好ましい。そして、取付片９４ｃがメインフレーム９２ａにねじ止めされる。
【００８６】
導光部材９４がメインフレーム９２ａにねじ止めされると、ガイド部９４ｂの上方にはＬＥＤ素子５３ａが位置している。ガイド部９４ｂは光を反射する反射板を有しており、ＬＥＤ素子５３ａが発した光は、ガイド部９４ｂを通って導光パネル９４ａ内に導かれ、導光パネル９４ａから出射する。
【００８７】
また、２つのレンズブロック６のうち、一方のレンズブロック６の透光窓６０ｄの上面には角筒状の筒体３２５が配置されており、筒体３２５は、切り欠き５１ｆ、及び貫通孔３２４内に収納されている。そして、一方のレンズブロック６の透光窓６０ｄは、筒体３２５を介して、電源ユニット４の制御回路４４ｂに対向している。具体的に、一方のレンズブロック６の透光窓６０ｄには、制御回路４４ｂが備えている常夜灯用のＬＥＤ素子、赤外線受光素子が対向している。つまり、常夜灯の放射する光が透光窓６０ｄを通して照明装置２の下方に照射される。また、赤外線受光素子は、透光窓６０ｄを通して、赤外線式のリモートコントローラから送信される赤外線信号を受信することができる。なお、照明装置２は、赤外線受光素子で受信する赤外線信号に含まれるコマンドに応じて、ＬＥＤモジュール５の点灯制御を行うことが好ましい。
【００８８】
さらにフレーム９２の下面には矩形状の平板のグローブ９３が取り付けられる。メインフレーム９２ａは、長手方向に沿ったサイドフレームに取付具９５を備えている。そして、グローブ９３は、アクリルなどの透光性を有する合成樹脂材料により、上面が開口する矩形箱状に形成され、取付具９５を介してフレーム９２の下面側に取り付けられる。また、グローブ９３は、照明装置２から出射される光を拡散する拡散構造を有している。なお、拡散構造は、例えば、グローブ９３の表面に形成される白色の塗膜や、グローブ９３を形成する合成樹材料に混入される拡散材、あるいはグローブ９３の表面に形成される凹凸などで実現される。このようにグローブ９３に拡散構造が設けられているため、照明空間に照射される光の均斉度をさらに向上させることができる。
【００８９】
また、ケース３の上面には、カバー９１がねじ止めされる。カバー９１は、下面を開口した矩形箱状に形成されており、上面には凹部３１１を露出させるための開口９１１を有する。さらに、カバー９１の上面には、弾性を有する一対の保護部材９１２が設けられている。
【００９０】
本実施形態では、本発明の技術思想を天井直付け形の照明器具（所謂シーリングライト）に適用している。但し、本発明の技術思想が適用可能な照明器具はシーリングライトに限定されるものではなく、吊り下げ形（所謂ペンダント形）の照明器具、または埋込型の照明器具（所謂ダウンライト）などにも適用可能である。
【００９１】
以上のように、実施形態に係る第１の態様の照明装置２は、ＬＥＤ基板５１（基板）と、複数のレンズ６１と、を備える。ＬＥＤ基板５１は、複数のＬＥＤ素子５２（固体発光素子）がそれぞれ実装面５１ａの実装領域５１ｇに配置されている。複数のレンズ６１は、複数のＬＥＤ素子５２のそれぞれに対向して設けられている。複数のレンズ６１は、集光レンズ６１１と、拡散レンズ６１２とを含む。集光レンズ６１１は、複数のＬＥＤ素子５２のうち、実装領域５１ｇの外縁の一部を含む第１領域５１１ｇに配置された第１ＬＥＤ素子５２１（第１固体発光素子）に対向する。拡散レンズ６１２は、複数のＬＥＤ素子５２のうち、実装領域５１ｇにおいて第１領域５１１ｇ以外の第２領域５１２ｇに配置された第２ＬＥＤ素子５２２（第２固体発光素子）に対向する。集光レンズ６１１は、第１ＬＥＤ素子５２１が発した光を前記外縁の一部から第１領域５１１ｇの外側に向かう集光方向に集光する。拡散レンズ６１２は、第２ＬＥＤ素子５２２が発した光を拡散させる。
【００９２】
上述の照明装置２では、集光レンズ６１１が実装領域５１ｇの外縁の一部（切り欠き５１ｃの半円形状の縁）から第１領域５１１ｇの外側に向かう集光方向に集光する。したがって、照明装置２は、複数のＬＥＤ素子５２を備えて、輝度むらを十分に抑制することができる。
【００９３】
また、実施形態に係る第２の態様の照明装置２では、第１の態様において、集光レンズ６１１は、実装面５１ａから離れる方向へ突出した凸形状である。そして、集光レンズ６１１の表面において、集光方向の側の曲率は集光方向の反対側の曲率より小さいことが好ましい。
【００９４】
上述の照明装置２では、集光レンズ６１１の集光方向を所定方向に設定できる。
【００９５】
また、実施形態に係る第３の態様の照明装置２では、第２の態様において、集光レンズ６１１は２つ以上である。２つ以上の集光レンズ６１１は、第１領域５１１ｇに含まれる実装領域５１ｇの外縁の一部に沿って設けられた第１集光レンズ６１１ａと、第１集光レンズ６１１ａの隣りに配置された第２集光レンズ６１１ｂとを含む。そして、第１集光レンズ６１１ａの表面における集光方向の側の曲率は、第２集光レンズ６１１ｂの表面における集光方向の側の曲率より小さいことが好ましい。
【００９６】
上述の照明装置２では、複数の集光レンズ６１１は、貫通孔５１ｄとの位置関係に応じて、集光特性（集光方向）が異なるので、輝度むらのさらなる抑制が可能となる。
【００９７】
また、実施形態に係る第４の態様の照明装置２では、第１乃至第３の態様のいずれか一つにおいて、実装領域５１ｇは長尺状に形成されている。そして、第１領域５１１ｇは、実装領域５１ｇの長手方向の一端側に位置し、第２領域５１２ｇは、実装領域５１ｇの長手方向の他端側に位置することが好ましい。
【００９８】
上述の照明装置２では、複数のＬＥＤ素子５２による発光面が長尺状である場合に、輝度むらを十分に抑制することができる。
【００９９】
また、実施形態に係る第５の態様の照明装置２では、第１乃至第４の態様のいずれか一つにおいて、実装領域５１ｇを２つ備えることが好ましい。２つの実装領域５１ｇのうち、一方の実装領域５１ｇの第１領域５１１ｇと他方の実装領域５１ｇの第１領域５１１ｇとは所定方向において互いに対向している。そして、一方の実装領域５１ｇの第１ＬＥＤ素子５２１に対向する集光レンズ６１１の集光方向と、他方の実装領域５１ｇの第１ＬＥＤ素子５２１に対向する集光レンズ６１１の集光方向とは、所定方向において互いに逆方向である。
【０１００】
上述の照明装置２では、複数のＬＥＤ素子５２による発光面が長尺状である場合に、輝度むらを十分に抑制することができる。
【０１０１】
また、実施形態に係る第６の態様の照明装置２では、第５の態様において、ＬＥＤ基板５１を２つ備えることが好ましい。２つのＬＥＤ基板５１は、２つの実装領域５１ｇをそれぞれ有している。そして、２つのＬＥＤ基板５１のうち一方のＬＥＤ基板５１の第１端５１ｂ（端部）と他方のＬＥＤ基板５１の第１端５１ｂ（端部）とは所定方向において互いに対向している。一方のＬＥＤ基板５１の第１端５１ｂ及び他方のＬＥＤ基板５１の第１端５１ｂには半円形状の切り欠き５１ｃがそれぞれ形成されている。
【０１０２】
上述の照明装置２では、２つのＬＥＤ基板５１の切り欠き５１ｃによって円形状の貫通孔５１ｄが形成された場合でも、集光レンズ６１１によって貫通孔５１ｄの方向へ集光できる。したがって、貫通孔５１ｄによる影の発生を抑えて、輝度むらを十分に抑制することができる。
【０１０３】
また、実施形態に係る第７の態様の照明装置２では、第１乃至第６の態様のいずれか一つにおいて、複数のＬＥＤ素子５２へ負荷電力を供給する電源装置４２をさらに備えることが好ましい。
【０１０４】
上述の照明装置２は、電源装置４２を備えており、複数のＬＥＤ素子５２で構成される光源と電源装置４２とを一体化できる。
【０１０５】
さらに、実施形態に係る第８の態様の照明器具１は、第１乃至第７の形態のいずれか一つの照明装置２と、照明装置２が取り付けられた器具本体９とを備える。
【０１０６】
上述の照明器具１は、上述の照明装置２を備えているので、輝度むらを十分に抑制することができる。
【０１０７】
また、実施形態に係る第９の態様の照明器具１では、第８の態様において、照明装置２は、照明装置２に外部からの入力電力を供給する引掛シーリングアダプタ１０２（給電部）が挿入される挿入空間４０３を有する。そして、挿入空間４０３は、実装領域５１ｇの外縁の一部（切り欠き５１ｃの半円形状の縁）の隣りに位置することが好ましい。
【０１０８】
上述の照明器具１は、引掛シーリングアダプタ１０２及び筒体４１０による影の発生を抑えて、輝度むらを十分に抑制することができる。
【符号の説明】
【０１０９】
１  照明器具
２  照明装置
３  ケース
４  電源ユニット
４０２  隔壁
４０３  挿入空間
４２  電源装置
５  ＬＥＤモジュール
５１  ＬＥＤ基板
５１ａ  実装面
５１ｂ  第１端（端部）
５１ｇ  実装領域
５１１ｇ  第１領域
５１２ｇ  第２領域
５２  ＬＥＤ素子（固体発光素子）
５２１  第１ＬＥＤ素子（第１固体発光素子）
５２２  第２ＬＥＤ素子（第２固体発光素子）
６  レンズブロック
６０  ベース
６１  レンズ
６１１  集光レンズ
６１１ａ  第１集光レンズ
６１１ｂ  第２集光レンズ
６１２拡散レンズ
９  器具本体
１０２  引掛シーリングアダプタ（給電部）
【図１】
2019033047.tif 000003
【図２】
2019033047.tif 000004
【図３】
2019033047.tif 000005
【図４】
2019033047.tif 000006
【図５】
2019033047.tif 000007
【図６】
2019033047.tif 000008
【図７】
2019033047.tif 000009
【図８】
2019033047.tif 000010
【図９】
2019033047.tif 000011
【図１０】
2019033047.tif 000012
【図１１】
2019033047.tif 000013
【図１２】
2019033047.tif 000014
【図１３】
2019033047.tif 000015